【手続補正書】
【提出日】平成17年3月10日(2005.3.10)
【手続補正１】
【補正対象書類名】特許請求の範囲
【補正対象項目名】請求項１
【補正方法】変更
【補正の内容】
【請求項１】
口金（３）と、この口金（３）に接続する、空気用入口／出口（４）を備えた呼吸気ダクト（２）と、この呼吸気ダクト（２）に連結された可撓性の空気袋（５）と、呼吸気ダクト（２）から出る使用済み空気の流出量と呼吸気ダクト（２）内に入る新鮮空気の流入量を調整するための弁装置（６）とを備えている、呼吸機能のためのトレーニング装置において、弁装置が少なくとも１個のピストン弁（６）を備え、このピストン弁（６）が空気通過室（２６）とこの空気通過室（２６）の周壁に設けられたシール面（２７）とを有するケーシング部分（２２）を備え、このケーシング部分（２２）の空気通過室（２６）内に弁体（２３）が配置され、この弁体（２３）が空気通過室（２６）内でスライドするように案内され、かつ空気通過室（２６）内の空気の流れ軸線（２８）の方向にシール位置から、空気通過室（２６）の横断面の少なくとも一部を開放する位置に自由に摺動可能であり、この弁体（２３）が外側のシール範囲を有するピストン（２４）と、空気通過室（２６）内でのスライド案内のための案内部材（２５）とを備え、この場合ピストン（２４）のシール範囲が弁体（２３）のシール位置で空気通過室（２６）の周壁のシール面（２７）と協働し、空気通過室（２６）の横断面を閉鎖し、このシール位置に弁体（２３）を位置決めするための力を発生する手段（２９）が設けられていることを特徴とするトレーニング装置。
【手続補正２】
【補正対象書類名】明細書
【補正対象項目名】０００８
【補正方法】変更
【補正の内容】
【０００８】
他の利点は、力発生手段として磁気要素を使用すると、多数の有利な実施形が許容されることにある。磁気的に強い材料、例えば永久磁石からなる部品を弁体に組込み、磁気的に弱い材料、例えば鉄からなるリング状の部品をピストン弁のケーシング部分に組み込むことができる。しかし、磁気的に弱い材料、例えば鉄からなる部品を弁体内で使用し、磁気的に強い材料、例えば永久磁石からなる部品をピストン弁のケーシング部分内で使用することもできる。ピストン弁の弁体とケーシング部分内で使用される磁気的な要素が、磁気的に強い材料、例えば両者が永久磁石からなっていると、きわめてコンパクトな解決策が生じる。この場合、弁のケーシング部分またはケーシング部分の範囲内に、磁気的に強い材料からなる２個の部品が組み込まれていると合目的である。これらの部品は空気通過室の縦軸線に関して対称に向き合っている。このすべての実施形の重要な利点は、磁気的な要素またはその磁極構造体と磁界の予め定めた強さが、シール位置における弁体の正確な位置決めを可能にし、しかも所望な保持力で位置決めを可能にすることにある。シール位置から開放位置への弁体の開放または摺動時に、開放ストロークにわたって同じ力または小さくなる力が弁体に作用するので、弁内の空気通過室のきわめて迅速な開放が可能である。これは公知のばね付勢式ダイヤフラム弁または開放運動が漸進的に増大する力に逆らって行われる弾性弁と好対照である。従って、本発明による弁装置は、袋の内容物に加えてトレーニング装置から吐き出されるかまたはトレーニング装置ひいてはトレーニングする人の気道に吸い込まれる空気量の正確な決定と制限を可能にする。
【手続補正３】
【補正対象書類名】明細書
【補正対象項目名】００２３
【補正方法】変更
【補正の内容】
【００２３】
図４は図２の軸線３６に沿った呼吸気ダクト２の横断面を示している。この図には、力を発生する手段２９が示してある。この手段は弁体２３をシール位置に保持するかまたはピストン弁６の開放力を決定し、ケーシング部分２２の範囲に配置される。図示した例では、力を発生する手段２９は磁気要素からなっている。この場合、弁体２３は磁気材料からなる部品３２を含み、弁体６のケーシング部分２２の範囲内に、磁気材料からなる２個の部品３４を備えた手段が配置されている。弁体２３のシール位置では、この磁気的な部品３２，３４は空気通過室２６の流れ軸線２８に対して半径方向の共通の平面３５内に位置決めされている。両部品３４は永久磁石、すなわち磁気的に強い材料からなる磁気要素である。弁体２３内の磁気的な部品３２も、永久磁石によって形成されているかあるいは磁気的に強い材料からなっている。磁気要素３２，３４の軸線は流れ軸線２８に対してほぼ平行に延び、磁極構造体は同一に形成されている。磁気的な両部品３４は外側ケーシング１内に流れ軸線２８に対して対称に配置され、ピストン弁６のケーシング部分２２に当接する。磁気的な両要素３４によって発生する磁界により、磁気的な部品３２はピストン２４または弁体２３内でほぼ平面３５内に位置決めされ、それによって弁体２３はシール位置に保持される。作用する磁力は公知のごとく、所望な負圧または正圧のときに初めて弁体２３がシール位置から矢印３１の方向に移動するように定められる。しかし、永久磁石３４の代わりに、電流で作動する電磁石３３を、外側ケーシング１内またはピストン弁６のケーシング部分２２の範囲内に挿入してもよい。電流供給と制御信号供給は制御機器１４からケーブル１３と図示していない他の接続導体を介して外側ケーシング１内に行われる。この構造は、筋力トレーニングの場合に合目的であるような、弁の開放のための開放力を変更することを可能にする。更に、制御機器によって弁開放時間に影響を及ぼして弁開放時間を制御することができるという利点がある。これは装置のプロフェッショナル用途の場合に所望される。他の実施の形態では、弁体２３内で磁気要素が永久磁石３２によって形成され、ケーシング１内で磁気要素が磁気的に弱い材料、例えば鉄によって形成されている。この場合、リング状の要素を使用すると合目的である。弁体２３内の磁気的な部品３２を磁気的に弱い材料、例えば鉄によって形成し、弁ケーシング２２内の磁気的な両部品３４を磁気的に強い材料、すなわち永久磁石によって形成することにより、逆の配置構造も可能である。このすべての配置構造は本発明による所望な機能を満たす。ピストン２４とケーシング部分２２のシール面２７との間のシール位置の両側に、シール面３５に対して間隔をおいて、２個のセンサ３７，３８が外側ケーシング１内に配置されている。図示した例はホールセンサである。このホールセンサにより、弁体２３またはその磁気的な部分の移動時に発生する磁界の変化を検出することができる。同じ機能はリードセンサ、光学式センサまたは圧力センサによっても検出することができる。このセンサ３７または３８によって、弁体２３が新鮮空気を吸うための開放位置にあるかあるいは開口４から呼吸気を吐き出すための開放位置にあるかどうかが検出される。開口４から新鮮空気を吸うための開放位置はシール面２７の端部のストッパー４２と、案内部材２５のリブ上のストッパー４９によって決定される。この開放位置と開放時間はセンサ３７によって検出される。使用済み空気を開口４から流出させるための弁体２３の開放位置は、案内部材２５の端範囲４１と、端ストッパー４３を形成する閉鎖要素１１の内側の面とによって決定される。この開放位置にはセンサ３８が付設されている。このセンサは開放状態と開放時間を検出する。シール位置からその都度の開放位置への矢印３１の方向のこの移動時に、弁体２３は空気通過室２６内でスライドする。このスライド運動時に発生する摩擦損失はきわめて小さい。本発明による構造体は、シール位置から開放位置に弁体２３を移動させるために必要な力が、弁体の移動につれて漸進的に増大しないで、この力が一定であるかまた小さくなるという利点がある。それに伴い、シール位置での保持力を上回ると、弁体２３は開放位置に直ちに完全に移動し、それによって空気の流通横断面全体が完全に開放されるという利点がある。それによって、空気の流量はピストン弁６の開放時間によって充分に正確に決定され、空気中のＣＯ2 含有量を検出するための付加的なセンサが不要である。